(57)【特許請求の範囲】
【請求項１】
サブ１ギガヘルツワイヤレスネットワークを介して通信する間使用するための１つまたは複数のデータ構造を記憶し、前記１つまたは複数のデータ構造は、前記サブ１ギガヘルツワイヤレスネットワークの１つまたは複数の利用可能な帯域幅および前記サブ１ギガヘルツワイヤレスネットワークの１つまたは複数の利用可能な空間ストリームに対応し、
前記サブ１ギガヘルツワイヤレスネットワークの前記１つまたは複数の利用可能な帯域幅は、１メガヘルツの帯域幅を含み、
各データ構造は、複数の変調およびコーディングスキーム（ＭＣＳ）インデックスの各々に対して、
前記ＭＣＳインデックスを含むパケットの変調スキームと、
前記パケットを符号化するコーディングレートと、
前記パケットにおけるサブキャリアシンボル当たりのビットの数と、
前記パケットにおけるデータシンボルの数と、
前記パケットにおけるパイロットシンボルの数と
前記パケットにおける直交周波数分割多重（ＯＦＤＭ）シンボル当たりのコード化されたビットの数と、
前記パケットにおけるＯＦＤＭシンボルあたりのデータビットの数と、
を示し、
前記１つまたは複数のデータ構造のうちの少なくとも１つは、前記１メガヘルツの帯域幅に対して、１つの空間ストリームが使用されるとき、
前記ＭＣＳインデックスが１０であるとき、前記変調スキームは、２位相偏移変調（ＢＰＳＫ）であり、サブキャリアシンボル当たりの前記ビットの数は、１であり、ＯＦＤＭシンボル当たりの前記コード化されたビットの数は、２４であり、ＯＦＤＭシンボル当たりの前記データビットの数は、６であることを示す、
非一時的プロセッサ可読媒体。
【請求項２】
各データ構造は、前記複数のＭＣＳインデックスの各々に対して、
符号化器の数と、
前記パケットに関連付けられた少なくとも１つのデータレートと
をさらに示し、
前記データ構造の全ては、前記複数のＭＣＳインデックスの各々に対して、単一符号化器が前記パケットを符号化することを示す、請求項１に記載の非一時的プロセッサ可読媒体。
【請求項３】
前記少なくとも１つのデータレートは、前記パケットにおける第１のガードインターバルに関連する第１のデータレートと、前記パケットにおける第２のガードインターバルに関連する第２のデータレートとを含む、請求項２に記載の非一時的プロセッサ可読媒体。
【請求項４】
前記第１のガードインターバルは各々、８マイクロ秒の継続時間を有し、前記第２のガードインターバルは各々、４マイクロ秒の継続時間を有する、請求項３に記載の非一時的プロセッサ可読媒体。
【請求項５】
前記データシンボルの数は２４である、請求項１に記載の非一時的プロセッサ可読媒体。
【請求項６】
前記１つまたは複数のデータ構造の内の少なくとも１つは、
前記サブ１ギガヘルツワイヤレスネットワークの動作帯域幅が２メガヘルツであり、１、２、または４つの空間ストリームが使用されるとき、９に等しい前記ＭＣＳインデックスが利用できないこと、
前記動作帯域幅が８メガヘルツであり、３つの空間ストリームが使用されるとき、ここにおいて、前記ＭＣＳインデックスが６であるとき、前記変調スキームは、６４−ＱＡＭＣであり、前記コーディングレートは、３／４であり、サブキャリアシンボル当たりの前記ビットの数は、６であること、
前記動作帯域幅が１６メガヘルツであり、３つの空間ストリームが使用されるとき、ここにおいて、前記ＭＣＳインデックスが９であるとき、前記変調スキームは、２５６値ＱＡＭであり、前記コーディングレートは、５／６であり、サブキャリアシンボル当たりの前記ビットの数は、８であること
を示す、請求項２に記載の非一時的プロセッサ可読媒体。
【請求項７】
特定の前記ＭＣＳインデックスは、非整数であるＯＦＤＭシンボル当たりの前記データビットの数、ＯＦＤＭシンボル当たりの前記データビットの数の指数、非整数である前記符号化器の数、またはＯＦＤＭシンボル当たりの前記コード化されたビットの数の指数、および非整数である前記符号化器の数に基づいて利用できない、請求項２に記載の非一時的プロセッサ可読媒体。
【請求項８】
前記データ構造の少なくとも１つは、少なくとも１つの帯域幅および少なくとも１つの空間ストリームに対して、
前記ＭＣＳインデックスが０であるとき、前記変調スキームは、ＢＰＳＫであり、前記コーディングレートが１／２であり、サブキャリアシンボル当たりの前記ビットの数が１であること、
前記ＭＣＳインデックスが１であるとき、前記変調スキームは、４位相偏移変調（ＱＰＳＫ）であり、前記コーディングレートは、１／２であり、サブキャリアシンボルあたりの前記ビットの数は、２であること、
前記ＭＣＳインデックスが２であるとき、前記変調スキームは、ＱＰＳＫであり、前記コーディングレートは、３／４であり、サブキャリアシンボル当たりの前記ビットの数は、２であること、
前記ＭＣＳインデックスが３であるとき、前記変調スキームは、１６値直交振幅変調（１６−ＱＡＭ）であり、前記コーディングレートは、１／２であり、サブキャリアシンボル当たりの前記ビットの数は、４であること、
前記ＭＣＳインデックスが４であるとき、前記変調スキームは、１６−ＱＡＭであり、前記コーディングレートは、３／４であり、サブキャリアシンボル当たりの前記ビットの数は、４であること、
前記ＭＣＳインデックスが５であるとき、前記変調スキームは、６４値ＱＡＭ（６４−ＱＡＭ）であり、前記コーディングレートは、２／３であり、サブキャリアシンボル当たりの前記ビットの数は、６であること、
前記ＭＣＳインデックスが６であるとき、前記変調スキームは、６４−ＱＡＭであり、前記コーディングレートは、３／４であり、サブキャリアシンボル当たりの前記ビットの数は、６であること、
前記ＭＣＳインデックスが７であるとき、前記変調スキームは、６４−ＱＡＭであり、前記コーディングレートは、５／６であり、サブキャリアシンボル当たりの前記ビットの数は、６であること、
前記ＭＣＳインデックスが８であるとき、前記変調スキームは、２５６値ＱＡＭ（２５６−ＱＡＭ）であり、前記コーディングレートは、３／４であり、サブキャリアシンボル当たりの前記ビットの数は、８であること、
前記ＭＣＳインデックスが９であるとき、前記変調スキームは、２５６値ＱＡＭであり、前記コーディングレートは、５／６であり、サブキャリアシンボル当たりの前記ビットの数は、８であること、または
これらの任意の組み合わせを示す、請求項１に記載の非一時的プロセッサ可読媒体。
【請求項９】
前記データ構造のうちの少なくとも１つは、
前記サブ１ギガヘルツワイヤレスネットワークの動作帯域幅が１メガヘルツであるとき、
前記データシンボルの数は２４であり、
前記パイロットシンボルの数は、２であり、
前記符号化器の数は１であること、
前記動作帯域幅が２メガヘルツであるとき、
前記データシンボルの数は５２であり、
前記符号化器の数は４であり、
前記符号化器の数は１であること、
前記動作帯域幅が４メガヘルツであるとき、
前記データシンボルの数は１０８であり、
前記パイロットシンボルの数は６であり、
前記符号化器の数は１または２であること、
前記動作帯域幅が８メガヘルツであるとき、
前記データシンボルの数は２３４であり、
前記パイロットシンボルの数は８であり、
前記符号化器の数は１、２、または３であること、
前記動作帯域幅が１６メガヘルツであるとき、
前記データシンボルの数は４６８であり、
前記パイロットシンボルの数は１６であり、
前記符号化器の数は１、２、３、４、または６であること
を示す、請求項２に記載の非一時的プロセッサ可読媒体。
【請求項１０】
前記１つまたは複数のデータ構造のうちの少なくとも１つは、特定のＭＣＳが利用できないことを示す、請求項１に記載の非一時的プロセッサ可読媒体。
【請求項１１】
前記サブ１ギガヘルツワイヤレスネットワークは、電気電子技術者協会（ＩＥＥＥ）８０２．１１ａｈプロトコルに従って動作する、請求項１に記載の非一時的プロセッサ可読媒体。
【請求項１２】
プロセッサによって実行されたとき、前記プロセッサに、
第１の帯域幅で動作しながら第１の数の空間ストリームを使用する前記サブ１ギガヘルツワイヤレスネットワークを介して第１のパケットを受信することと、
前記第１のパケットから第１のＭＣＳインデックスを抽出することと、
前記第１の帯域幅および前記空間ストリームの第１の数に対応する前記１つまたは複数のデータ構造のうちの第１のデータ構造を識別することと、
前記第１のＭＣＳインデックスおよび前記第１のデータ構造に基づいて前記受信したパケットの少なくとも１つの符号化特性を決定することと、
前記少なくとも１つの符号化特性に基づいて前記第１のパケットを復号することと
を行わせる、命令をさらに備える、請求項１に記載の非一時的プロセッサ可読媒体。
【請求項１３】
前記第１のＭＣＳインデックスは、前記第１のパケットの物理レイヤ（ＰＨＹ）プリアンブルの信号（ＳＩＧ）フィールドから抽出される、請求項１２に記載の非一時的プロセッサ可読媒体。
【請求項１４】
送信機で、特定の帯域幅で動作しながら特定の数の空間ストリームを使用するサブ１ギガヘルツワイヤレスネットワークを介してパケットを通信することに使用するために利用可能な複数の変調およびコーディングスキーム（ＭＣＳ）からＭＣＳを選択することと、ここにおいて、前記サブ１ギガヘルツワイヤレスネットワークは、１メガヘルツの帯域幅での動作をサポートする、
前記選択されたＭＣＳに対応するＭＣＳインデックスに基づいて、および前記少なくとも１つの符号化特性を示す１つまたは複数のデータ構造に基づいて、少なくとも１つの符号化特性を決定することと、ここにおいて、前記１つまたは複数のデータ構造のうちの少なくとも１つは、前記１メガヘルツの帯域幅に対して、１つの空間ストリームが使用されるとき、
前記ＭＣＳインデックスが１０であるとき、変調スキームは、２位相偏移変調（ＢＰＳＫ）であり、サブキャリアシンボル当たりのビットの数は、１であり、直交周波数分割多重（ＯＦＤＭ）シンボル当たりのコード化されたビットの数は、２４であり、ＯＦＤＭシンボル当たりのデータビットの数は、６であることを示す、
前記パケットに前記ＭＣＳインデックスを挿入することと、
前記少なくとも１つの符号化特性に基づいて前記パケットを符号化することと、
受信機に前記サブ１ギガヘルツワイヤレスネットワークを介して前記符号化されたパケットを送ることと
を備える、方法。
【請求項１５】
受信機で、特定の帯域幅で動作しながら特定の数の空間ストリームを使用するサブ１ギガヘルツワイヤレスネットワークを介して送られたパケットを受信することと、ここにおいて、前記サブ１ギガヘルツワイヤレスネットワークは、１メガヘルツの帯域幅での動作をサポートする、
前記受信されたパケットから変調およびコーディングスキーム（ＭＣＳ）インデックスを抽出することと、
前記受信機に記憶されたデータ構造を識別することと、ここにおいて前記データ構造は、前記特定の帯域幅および前記特定の数の空間ストリームに対応する、
前記受信されたパケットの少なくとも１つの符号化特性を、前記抽出されたＭＣＳインデックスおよび前記識別されたデータ構造に基づいて決定することと、ここにおいて、前記識別されたデータ構造は、前記１メガヘルツの帯域幅に対して、１つの空間ストリームが使用されるとき、
前記ＭＣＳインデックスが１０であるとき、変調スキームは、２位相偏移変調（ＢＰＳＫ）であり、サブキャリアシンボル当たりのビットの数は、１であり、直交周波数分割多重（ＯＦＤＭ）シンボル当たりのコード化されたビットの数は、２４であり、ＯＦＤＭシンボル当たりのデータビットの数は、６であることを示す、
前記少なくとも１つの符号化特性に基づいて前記受信されたパケットを復号することと
を備える、方法。
【請求項１６】
１つまたは複数のデータ構造を記憶するメモリと、前記１つまたは複数のデータ構造は、サブ１ギガヘルツワイヤレスネットワークの１つまたは複数の利用可能な帯域幅および前記サブ１ギガヘルツワイヤレスネットワークの１つまたは複数の利用可能な空間ストリームに対応し、前記サブ１ギガヘルツワイヤレスネットワークの前記１つまたは複数の利用可能な帯域幅は、１メガヘルツの帯域幅を含み、各データ構造は、複数の変調およびコーディングスキーム（ＭＣＳ）インデックスの各々に対して、前記ＭＣＳインデックスを含むパケットの少なくとも１つの符号化特性を示す、
前記メモリに結合されるプロセッサと、前記プロセッサは、
第１の帯域幅で動作しながら第１の数の空間ストリームを使用する前記サブ１ギガヘルツワイヤレスネットワークを介して受信された第１のパケットから第１のＭＣＳインデックスを抽出し、
前記受信されたパケットの少なくとも１つの符号化特性を、前記第１の帯域幅および前記第１の数の空間ストリームに対応する前記複数のデータ構造のうちの第１のデータ構造における前記第１のＭＣＳインデックスの検索に基づいて決定する、
ように構成され、ここにおいて、前記第１のデータ構造は、前記１メガヘルツの帯域幅に対して、１つの空間ストリームが使用されるとき、
前記ＭＣＳインデックスが１０であるとき、変調スキームは、２位相偏移変調（ＢＰＳＫ）であり、サブキャリアシンボル当たりのビットの数は、１であり、直交周波数分割多重（ＯＦＤＭ）シンボル当たりのコード化されたビットの数は、２４であり、ＯＦＤＭシンボル当たりのデータビットの数は、６であることを示す、
を備える、装置。
【請求項１７】
１つまたは複数のデータ構造を記憶するための手段と、ここにおいて、前記１つまたは複数のデータ構造は、サブ１ギガヘルツワイヤレスネットワークの１つまたは複数の利用可能な帯域幅および前記サブ１ギガヘルツワイヤレスネットワークの１つまたは複数の利用可能な空間ストリームに対応し、前記サブ１ギガヘルツワイヤレスネットワークの前記１つまたは複数の利用可能な帯域幅は、１メガヘルツの帯域幅を含み、各データ構造は、複数の変調およびコーディングスキーム（ＭＣＳ）インデックスの各々に対して、前記ＭＣＳインデックスを含むパケットの少なくとも１つの符号化特性を示し、前記１つまたは複数のデータ構造のうちの少なくとも１つは、前記１メガヘルツの帯域幅に対して、１つの空間ストリームが使用されるとき、
前記ＭＣＳインデックスが１０であるとき、変調スキームは、２位相偏移変調（ＢＰＳＫ）であり、サブキャリアシンボル当たりのビットの数は、１であり、直交周波数分割多重（ＯＦＤＭ）シンボル当たりのコード化されたビットの数は、２４であり、ＯＦＤＭシンボル当たりのデータビットの数は、６であることを示す、
前記パケットに含まれる特定のＭＣＳインデックスに基づいてパケットを処理するための手段と
を備える、装置。
【請求項１８】
前記処理するための手段は、前記ＭＣＳインデックスに基づいて前記パケットを符号化するように構成される符号化器を備える、請求項１７に記載の装置。
【請求項１９】
前記処理するための手段は、前記ＭＣＳインデックスに基づいて前記パケットを復号するように構成される復号器を備える、請求項１７に記載の装置。
【請求項２０】
前記サブ１ギガヘルツワイヤレスネットワークは、電気電子技術者協会（ＩＥＥＥ）８０２．１１ａｈプロトコルに従って動作する、請求項１７に記載の装置。
【発明の詳細な説明】
【関連技術】
【０００１】
関連出願の相互参照  
[0001]本出願は、その内容全体が参照によって明白に本明細書に組み込まれている、２０１２年４月２日に出願した同一出願人が所有する米国仮特許出願第６１／６１９，３３７号の優先権を主張する。
【技術分野】
【０００２】
[0002]本開示はワイヤレスデータ通信に関する。
【背景技術】
【０００３】
[0003]技術の進歩によって、コンピューティングデバイスはより小型にかつより高性能になっている。たとえば、現在、小型で、軽量で、ユーザが簡単に持ち運べる、携帯式のワイヤレス電話、携帯情報端末（ＰＤＡ）、およびページングデバイスなどのワイヤレスコンピューティングデバイスを含む、様々な携帯式の個人向けコンピューティングデバイスが存在する。より詳細には、携帯電話およびインターネットプロトコル（ＩＰ）電話などの携帯式のワイヤレス電話は、ワイヤレスネットワークを介して音声およびデータパケットを通信することができる。多くのそのようなワイヤレス電話は、エンドユーザに拡張機能を提供するために、追加のデバイスを組み込んでいる。たとえば、ワイヤレス電話は、デジタルスチルカメラと、デジタルビデオカメラと、デジタルレコーダと、オーディオファイルプレーヤとを含むこともできる。また、そのようなワイヤレス電話は、インターネットにアクセスするために使用され得るウェブブラウザアプリケーションなどのソフトウェアアプリケーションを実行することができる。したがって、これらのワイヤレス電話は、著しい計算能力を含むことができる。
【０００４】
[0004]多くの通信システムでは、ネットワークは、いくつかの対話している空間的に離隔されたデバイスの間でメッセージを交換するために使用することができる。ネットワークは、たとえば、メトロポリタンエリア、ローカルエリア、またはパーソナルエリアであり得る地理的範囲によって分類することができる。そのようなネットワークは、それぞれ、ワイドエリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、またはパーソナルエリアネットワーク（ＰＡＮ）と呼ばれる場合がある。ネットワークはまた、様々なネットワークのノードとデバイスとを相互接続するために使用される交換／ルーティング技術（たとえば、回線交換対パケット交換）、送信に利用される物理媒体のタイプ（たとえば、有線対ワイヤレス）、および使用される通信プロトコルのセット（たとえば、インターネットプロトコルスイート、ＳＯＮＥＴ（同期光ネットワーキング）、イーサネット（登録商標）など）によって異なる場合がある。
【０００５】
[0005]ワイヤレスネットワークは、ネットワーク要素が可動であり、動的な接続性のニーズを有するとき、またはネットワークアーキテクチャが固定式ではないアドホックなトポロジーで形成される場合、好適であり得る。ワイヤレスネットワークは、無線、マイクロ波、赤外線、光、または他の周波数帯域内の電磁波を使用する、誘導されない伝搬モードにおける無形の物理媒体を利用することができる。ワイヤレスネットワークは、有利なことに、固定式の有線ネットワークと比較すると、ユーザの移動性および迅速な現場配置を容易にすることができる。
【０００６】
[0006]ワイヤレスネットワーク内のデバイスは、他のデバイス／システムと情報を送信／受信することができる。情報はパケットを含む場合がある。パケットは、オーバーヘッド情報（たとえば、ネットワークを介してパケットをルーティングすることに関するヘッダ情報、パケット特性など）、ならびにデータ（たとえば、パケットのペイロード内のユーザデータ、マルチメディアコンテンツなど）を含む場合がある。
【発明の概要】
【０００７】
[0007]ワイヤレスネットワーキングシステムは、様々な周波数レンジおよび様々な帯域幅で動作することができる。電気電子技術者協会（ＩＥＥＥ）８０２．１１は、ワイヤレスネットワーキングに関連する業界規格、プロトコル、およびグループのセットである。たとえば、ＩＥＥＥ８０２．１１ａ、８０２．１１ｂ、８０２．１１ｇ、および８０２．１１ｎは、家庭またはオフィスの環境内などの顧客構内のワイヤレスネットワーキングで使用できるワイヤレスネットワーキング規格である。「進行中」のＩＥＥＥ８０２．１１規格には、（「Ｖｅｒｙ  Ｈｉｇｈ  Ｔｈｒｏｕｇｈｐｕｔ  ｉｎ  ＜  ６ＧＨｚ」と題する）８０２．１１ａｃ、（「Ｖｅｒｙ  Ｈｉｇｈ  Ｔｈｒｏｕｇｈｐｕｔ  ｉｎ  ６０ＧＨｚ」と題する）８０２．１１ａｄ、（「Ｗｉｒｅｌｅｓｓ  Ｌｏｃａｌ  Ａｒｅａ  Ｎｅｔｗｏｒｋ（ＬＡＮ）  ｉｎ  Ｔｅｌｅｖｉｓｉｏｎ  Ｗｈｉｔｅ  Ｓｐａｃｅ」と題する）８０２．１１ａｆ、および（「Ｓｕｂ−１ＧＨｚ」と題する）８０２．１１ａｈが含まれる。
【０００８】
[0008]特に、ＩＥＥＥ８０２．１１ａｈは、１ギガヘルツよりも小さい周波数でのワイヤレス通信に関連付けられる。そのような通信は、センサなどの低デューティサイクルを有するデバイスに有用であり得る。たとえば、ＩＥＥＥ８０２．１１ａｈネットワークを介して通信するワイヤレスセンサは、数秒間起きて、少しだけ測定を実行し、測定の結果を宛先に通信し、次いで数分間スリープすることができる。ＩＥＥＥ８０２．１１ａｈワイヤレスネットワークは、１ＭＨｚ、２ＭＨｚ、４ＭＨｚ、８ＭＨｚ、および１６ＭＨｚの帯域幅で、１つ、２つ、３つ、または４つの空間ストリームを使用する通信をサポートすることができる。
【０００９】
[0009]サブ１ＧＨｚネットワーク（たとえば、ＩＥＥＥ８０２．１１ａｈネットワーク）内のメッセージの特性を制御するシステムおよび方法が開示される。たとえば、送信機から受信機にメッセージ（たとえば、パケット）を送る前に、送信機は、変調およびコーディングスキーム（ＭＣＳ）を選択してメッセージに適用することができる。帯域幅／空間ストリームの組合せごとに、２つ以上のＭＣＳが利用可能であり得る。選択されたＭＣＳに対応するインデックス値は、メッセージに含まれる場合がある。たとえば、ＭＣＳインデックスは、メッセージの物理レイヤ（ＰＨＹ）プリアンブルの信号（ＳＩＧ）フィールドに含まれる場合がある。メッセージが受信されたとき、受信機はＭＣＳインデックスを使用して、メッセージを復号する際に有用であり得る様々なメッセージ特性を判断することができる。一実装形態では、送信機および受信機は、各々、ＭＣＳインデックスによって検索され得るデータ構造（たとえば、テーブル）を記憶するか、または場合によってはそれにアクセスすることができる。
【００１０】
[0010]サブ１ＧＨｚワイヤレスネットワークを介して通信されるパケットは、複数のフレームフォーマット（たとえば、シングルユーザ（ＳＵ）または「ショート」フォーマットおよびマルチユーザ（ＭＵ）または「ロング」フォーマット）のうちの１つに準拠することができ、様々なタイミングパラメータに準拠することができる。フレームフォーマットは、パケットに何のフィールドが含まれるか、およびパケット内のフィールドの順序を識別することができる。タイミングパラメータは、パケットに関連する量とフィールド継続時間とを示すことができる。フレームフォーマットおよび／またはタイミングパラメータは、パケットの符号化および／または復号で使用することができる。様々なフレームフォーマットのためのタイミングパラメータを示すデータ構造（たとえば、テーブル）は、送信機および受信機に記憶されるか、または場合によってはアクセス可能であり得る。
【００１１】
[0011]サブ１ＧＨｚワイヤレスネットワークを介して通信されるパケットはまた、トーンスケーリングを受ける場合がある。たとえば、パケットの様々なフィールドは、異なる量によってトーンスケーリングすることができる。トーンスケーリングパラメータは、パケットの符号化および／または復号で使用することができる。様々なフィールドのためのトーンスケーリングパラメータを示すデータ構造（たとえば、テーブル）は、送信機および受信機に記憶されるか、または場合によってはアクセス可能であり得る。
【００１２】
[0012]特定の実施形態では、非一時的プロセッサ可読媒体は、サブ１ギガヘルツワイヤレスネットワークを介して通信する間に使用するための１つまたは複数のデータ構造を記憶する。１つまたは複数のデータ構造は、サブ１ギガヘルツワイヤレスネットワークの１つまたは複数の利用可能な帯域幅およびサブ１ギガヘルツワイヤレスネットワークの１つまたは複数の利用可能な空間ストリームに対応する。サブ１ギガヘルツワイヤレスネットワークの１つまたは複数の利用可能な帯域幅は、１メガヘルツ帯域幅を含む。  各データ構造は、複数の変調およびコーディングスキーム（ＭＣＳ）インデックスの各々に対して、ＭＣＳインデックスを含むパケットの変調スキームと、パケットを符号化するコーディングレートと、パケットにおけるサブキャリアシンボル当たりのビットの数と、パケットにおけるデータシンボルの数と、パケットにおけるパイロットシンボルの数とを示す。
【００１３】
[0013]別の特定の実施形態では、方法は、送信機で、特定の帯域幅で動作しながら特定の数の空間ストリームを使用するサブ１ギガヘルツワイヤレスネットワークを介してパケットを通信することに利用するために利用可能な複数の変調およびコーディングスキーム（ＭＣＳ）からＭＣＳを選択することを含む。サブ１ギガヘルツワイヤレスネットワークは、１メガヘルツの帯域幅での動作をサポートする。方法はさらに、選択されたＭＣＳに対応するＭＣＳインデックスに基づいて少なくとも１つの符号化特性を決定する。方法は、パケットにＭＣＳインデックスを挿入することと、少なくとも１つの符号化特性に基づいてパケットを符号化することと、受信機に符号化されたパケットを送ることとをさらに備える。
【００１４】
[0014]別の特定の実施形態では、方法は、特定の帯域幅で動作しながら特定の数の空間ストリームを使用するサブ１ギガヘルツワイヤレスネットワークを介して送られたパケットを受信することを含む。サブ１ギガヘルツワイヤレスネットワークは、１メガヘルツの帯域幅での動作をサポートする。方法はさらに、受信されたパケットから変調およびコーディングスキーム（ＭＣＳ）インデックスを抽出する。方法は、受信機に格納されたデータ構造を識別することをさらに含み、データ構造は、特定の帯域幅および特定の数の空間ストリームに対応する。受信されたパケットの少なくとも１つの符号化特性を、抽出されたＭＣＳインデックスおよび識別されたデータ構造に基づいて決定することを含む。方法はさらに、少なくとも１つの符号化特性に基づいて受信されたパケットを復号することを含む。
【００１５】
[0015]別の特定の実施形態では、装置は、１つまたは複数のデータ構造を格納するメモリを含む。データ構造は、サブ１ギガヘルツワイヤレスネットワークの１つまたは複数の利用可能な帯域幅および空間ストリームに対応する。サブ１ギガヘルツワイヤレスネットワークの１つまたは複数の利用可能な帯域幅は、１メガヘルツの帯域幅を含む。各データ構造は、複数のＭＣＳインデックスの各々に対して、ＭＣＳインデックスを含むパケットの少なくとも１つの符号化特性を示す。装置はさらに、メモリに結合されるプロセッサを含み、第１の帯域幅で動作しながら第１の数の空間ストリームを使用するサブ１ギガヘルツワイヤレスネットワークを介して受信された第１のパケットから第１のＭＣＳインデックスを抽出するように構成される。プロセッサはさらに、受信されたパケットの少なくとも１つの符号化特性を、第１の帯域幅および第１の数の空間ストリームに対応する複数のデータ構造のうちの第１のデータ構造における第１のＭＣＳの検索に基づいて決定するように構成される。
【００１６】
[0016]別の特定の実施形態では、装置は、１つまたは複数のデータ構造を記憶するための手段を含む。１つまたは複数のデータ構造は、サブ１ギガヘルツワイヤレスネットワークの１つまたは複数の利用可能な帯域幅およびサブ１ギガヘルツワイヤレスネットワークの１つまたは複数の利用可能な空間ストリームに対応する。サブ１ギガヘルツワイヤレスネットワークの１つまたは複数の利用可能な帯域幅は、１メガヘルツの帯域幅を含む。各データ構造は、複数の変調およびコーディングスキーム（ＭＣＳ）インデックスの各々に対して、ＭＣＳインデックスを含むパケットの少なくとも１つの符号化特性を示す。装置はさらに、パケットに含まれる特定のＭＣＳインデックスに基づいてパケットを処理するための手段を含む。
【００１７】
[0017]開示された実施形態のうちの少なくとも１つによってもたらされる１つの特定の利点は、サブ１ＧＨｚワイヤレスネットワークを介して通信されるメッセージ（たとえば、パケット）の様々な特性を制御できる能力である。たとえば、そのような特性には、ＭＣＳ、フレームフォーマット、タイミングパラメータ、トーンスケーリングパラメータ、および／または本明細書に記載される他の特性が含まれ得る。
【００１８】
[0018]本開示の他の態様、利点、および特徴は、以下のセクション、すなわち、図面の簡単な説明、発明を実施するための形態、および特許請求の範囲を含む、本出願全体を検討すれば明らかになろう。
【図面の簡単な説明】
【００１９】
【図１】サブ１ＧＨｚワイヤレスネットワーク内のメッセージ特性を制御するように動作可能なシステムの特定の実施形態の図。
【図２Ａ】図１のＭＣＳテーブルの具体的な例を示す図。
【図２Ｂ】図１のＭＣＳテーブルの具体的な例を示す図。
【図２Ｃ】図１のＭＣＳテーブルの具体的な例を示す図。
【図３Ａ】図１のＭＣＳテーブルの追加の具体的な例を示す図。
【図３Ｂ】図１のＭＣＳテーブルの追加の具体的な例を示す図。
【図３Ｃ】図１のＭＣＳテーブルの追加の具体的な例を示す図。
【図４Ａ】図１のＭＣＳテーブルの追加の具体的な例を示す図。
【図４Ｂ】図１のＭＣＳテーブルの追加の具体的な例を示す図。
【図４Ｃ】図１のＭＣＳテーブルの追加の具体的な例を示す図。
【図４Ｄ】図１のＭＣＳテーブルの追加の具体的な例を示す図。
【図５Ａ】図１のＭＣＳテーブルの追加の具体的な例を示す図。
【図５Ｂ】図１のＭＣＳテーブルの追加の具体的な例を示す図。
【図５Ｃ】図１のＭＣＳテーブルの追加の具体的な例を示す図。
【図５Ｄ】図１のＭＣＳテーブルの追加の具体的な例を示す図。
【図６Ａ】図１のＭＣＳテーブルの追加の具体的な例を示す図。
【図６Ｂ】図１のＭＣＳテーブルの追加の具体的な例を示す図。
【図６Ｃ】図１のＭＣＳテーブルの追加の具体的な例を示す図。
【図６Ｄ】図１のＭＣＳテーブルの追加の具体的な例を示す図。
【図７Ａ】図１のＭＣＳテーブルの追加の具体的な例を示す図。
【図７Ｂ】図１のＭＣＳテーブルの追加の具体的な例を示す図。
【図７Ｃ】図１のＭＣＳテーブルの追加の具体的な例を示す図。
【図７Ｄ】図１のＭＣＳテーブルの追加の具体的な例を示す図。
【図８Ａ】図１のＭＣＳテーブルの追加の具体的な例を示す図。
【図８Ｂ】図１のＭＣＳテーブルの追加の具体的な例を示す図。
【図９Ａ】すべての可能な帯域幅および可能な数の空間ストリームに単一の符号化器が使用されるときの図１のＭＣＳテーブルの具体的な例を示す図。
【図９Ｂ】すべての可能な帯域幅および可能な数の空間ストリームに単一の符号化器が使用されるときの図１のＭＣＳテーブルの具体的な例を示す図。
【図９Ｃ】すべての可能な帯域幅および可能な数の空間ストリームに単一の符号化器が使用されるときの図１のＭＣＳテーブルの具体的な例を示す図。
【図９Ｄ】すべての可能な帯域幅および可能な数の空間ストリームに単一の符号化器が使用されるときの図１のＭＣＳテーブルの具体的な例を示す図。
【図１０Ａ】すべての可能な帯域幅および可能な数の空間ストリームに単一の符号化器が使用されるときの図１のＭＣＳテーブルの具体的な例を示す図。
【図１０Ｂ】すべての可能な帯域幅および可能な数の空間ストリームに単一の符号化器が使用されるときの図１のＭＣＳテーブルの具体的な例を示す図。
【図１０Ｃ】すべての可能な帯域幅および可能な数の空間ストリームに単一の符号化器が使用されるときの図１のＭＣＳテーブルの具体的な例を示す図。
【図１０Ｄ】すべての可能な帯域幅および可能な数の空間ストリームに単一の符号化器が使用されるときの図１のＭＣＳテーブルの具体的な例を示す図。
【図１１】ＭＣＳインデックスに基づいてサブ１ＧＨｚワイヤレスネットワーク内のメッセージ特性を判断する方法の特定の実施形態のフローチャート。
【図１２】ＭＣＳインデックスに基づいてサブ１ＧＨｚワイヤレスネットワーク内のメッセージ特性を制御する方法の特定の実施形態のフローチャート。
【図１３】図１のパケットに対して使用できるフレームフォーマットの特定の実施形態を示す図。
【図１４】図１のタイミングパラメータの具体的な例を示す図。
【図１５】サブ１ＧＨｚワイヤレスネットワーク内のフレームフォーマットおよびタイミングパラメータを制御する方法の特定の実施形態のフローチャート。
【図１６】図１のトーンスケーリングパラメータの具体的な例を示す図。
【図１７】サブ１ＧＨｚワイヤレスネットワーク内のトーンスケーリングパラメータを制御する方法の特定の実施形態のフローチャート。
【図１８】サブ１ＧＨｚワイヤレスネットワーク内のメッセージ特性を制御するように動作可能な構成要素を含むモバイル通信デバイスのブロック図。
【発明を実施するための形態】
【００２０】
[0030]図１は、サブ１ＧＨｚワイヤレスネットワーク１４０内のメッセージ特性を制御するように動作可能なシステム１００の特定の実施形態の図である。特定の実施形態では、サブ１ＧＨｚワイヤレスネットワーク１４０は、ＩＥＥＥ８０２．１１ａｈプロトコルに従って動作する。ワイヤレスネットワーク１４０は、複数の帯域幅と１つまたは複数の空間ストリームとをサポートすることができる。たとえば、ワイヤレスネットワーク１４０は、１ＭＨｚ、２ＭＨｚ、４ＭＨｚ、８ＭＨｚ、および１６ＭＨｚの帯域幅と、１つ、２つ、３つ、または４つの空間ストリームの使用とをサポートすることができる。
【００２１】
[0031]システム１００は、送信機１１０と受信機１２０とを含む。図１では単一の送信機と受信機が示されているが、代替の実施形態は、２つ以上の送信機と受信機を含む場合があることに留意されたい。送信機１１０と受信機１２０は、例示的なパケット１３０などのパケットを介して通信することができる。図１では専用の送信機１１０と専用の受信機１２０が示されているが、いくつかのデバイス（たとえば、送受信機または送受信機を含むモバイル通信デバイス）は、パケット送信ならびにパケット受信の両方が可能であり得ることに留意されたい。このように、ワイヤレスネットワーク１４０は双方向通信をサポートする。
【００２２】
[0032]送信機１１０は、ＭＣＳテーブル１１１と、タイミングパラメータ１１２と、トーンスケーリングパラメータ１１３とを記憶するか、または場合によってはそれにアクセスすることができる。送信機１１０は、パケット１３０などのパケットを作成および符号化するように構成されたパケット作成器／符号化器１１４を含む場合がある。作成器／符号化器１１４は、作成および符号化のプロセスの間、パケット１３０の１つまたは複数の特性を設定することができる。
【００２３】
[0033]たとえば、作成器／符号化器１１４は、複数の利用可能な変調およびコーディングスキーム（ＭＣＳ）からパケット１３０の特定のＭＣＳを選択することができる。どのＭＣＳが利用可能かは、ワイヤレスネットワーク１４０で使用中の帯域幅および空間ストリームの数に依存する場合がある。特定の実施形態では、ワイヤレスネットワーク１４０に接続されたデバイスは、（たとえば、ビーコン、プローブ応答、または他の制御メッセージを介して）ワイヤレスネットワークに関連付けられたアクセスポイントにより、帯域幅および空間ストリームの数を通知される場合がある。デバイスはまた、ワイヤレスネットワーク１４０を介して通信されるメッセージを調査することによって、帯域幅および空間ストリームの数などのネットワーク特性を判断することができる。どの特定のＭＣＳが選択されるかは、チャネル状態、距離、および所望のデータレートなどの要因に基づく場合がある。送信機１１０は、帯域幅と空間ストリームの数の組合せごとに利用可能なＭＣＳを識別する、１つまたは複数のＭＣＳテーブル１１１を記憶するか、または場合によってはそれにアクセスすることができる。作成器／符号化器１１４は、選択されたＭＣＳのインデックスをパケット１３０に挿入することができる。特定の実施形態では、ＭＣＳインデックスは、パケット１３０の物理レイヤ（ＰＨＹ）プリアンブルの信号（ＳＩＧ）フィールドに含まれる場合がある。ＭＣＳインデックスは、パケット１３０の変調スキームおよびコーディングレートを示すことができ、また、サブキャリアシンボル当たりのビット数、データシンボルの数、パイロットシンボルの数、直交周波数分割多重（ＯＦＤＭ）シンボル当たりのコーディングされたビットの数、（ＯＦＤＭ）シンボル当たりのデータビットの数、パケット１３０を符号化するために使用される符号化器の数、データレート、および／またはガードインターバルなどの、パケット１３０のさらなる符号化特性を示すことができるか、またはそれらを導出するために有用であり得る。ＭＣＳテーブルの具体的な例は、図２〜図１０を参照して記載される。
【００２４】
[0034]受信機１２０は、それぞれ、ＭＣＳテーブル１１１、タイミングパラメータ１１２、およびトーンスケーリングパラメータ１１３と同じであり得る、ＭＣＳテーブル１２１と、タイミングパラメータ１２２と、トーンスケーリングパラメータ１２３とを記憶するか、または場合によってはそれらにアクセスすることができる。受信機１２０は、受信されたパケット１３０などの受信されたパケットを処理するように構成されたパケット抽出器／復号器１２４を含む場合がある。たとえば、抽出器／復号器１２４は、パケット１３０からＭＣＳインデックスを抽出することができる。抽出器／復号器１２４は、ワイヤレスネットワーク１４０で使用中の帯域幅および空間ストリームの数に対応する、ＭＣＳテーブル１２１のうちの特定のＭＣＳテーブルを識別することができ、抽出されたＭＣＳインデックスに対応する特定のＭＣＳテーブル内の特性値を検索することができる。検索に基づいて、抽出器／復号器１２４は、パケット１３０の１つまたは複数の符号化特性を判断することができ、符号化特性に基づいてパケット１３０を復号することができる。
【００２５】
[0035]パケット１３０は、複数のフレームフォーマット（たとえば、シングルユーザ（ＳＵ）または「ショート」フォーマットおよびマルチユーザ（ＭＵ）または「ロング」フォーマット）のうちの１つに準拠することができ、様々なタイミングパラメータに準拠することができる。特定の実施形態では、フレームフォーマットは、送信機１１０によって選択されるか、または受信機１２０によって指定される。フレームフォーマットは、パケット１３０に含まれるべきフィールドと、パケット１３０内のフィールドの順序とを識別することができる。タイミングパラメータは、パケット１３０に関連する量と、フィールド継続時間とを示すことができる。このように、フレームフォーマットおよび／またはタイミングパラメータは、パケット１３０の符号化および／または復号で使用することができる。様々なフレームフォーマットのためのタイミングパラメータを示すデータ構造（たとえば、テーブル）は、送信機および受信機に記憶されるか、または場合によってはアクセス可能であり得る。たとえば、タイミングパラメータは、タイミングパラメータ１１２として送信機１１０で、かつタイミングパラメータ１２２として受信機１２０で、メモリ内のテーブルまたはアレイに記憶することができる。
【００２６】
[0036]特定の実施形態では、パケット１３０に使用されるフレームフォーマットは、基礎をなすサブ１ＧＨｚワイヤレスネットワーク１４０が１ＭＨｚの帯域幅で動作しているかどうかに少なくとも部分的に基づく。たとえば、帯域幅が１ＭＨｚであるときは、ＳＵフレームフォーマットのみが利用可能であり得るが、１ＭＨｚよりも大きい帯域幅の場合、ＳＵフレームフォーマットとＭＵフレームフォーマットの両方が利用可能であり得る。特定の実施形態では、いくつかのフィールド継続時間は、帯域幅が１ＭＨｚよりも大きいときより、帯域幅が１ＭＨｚであるときの方が長い場合がある。フレームフォーマットおよびタイミングパラメータの例は、図１３〜図１４を参照してさらに記載される。
【００２７】
[0037]パケット１３０はまた、トーンスケーリングを受ける場合がある。たとえば、パケット１３０の様々なフィールドは、異なる量によってトーンスケーリングすることができる。トーンスケーリングパラメータは、パケットの符号化および／または復号で使用することができる。様々なフィールドのためのトーンスケーリングパラメータを示すデータ構造（たとえば、テーブル）は、送信機および受信機に記憶されるか、または場合によってはアクセス可能であり得る。たとえば、トーンスケーリングパラメータは、トーンスケーリングパラメータ１１３として送信機１１０で、かつトーンスケーリングパラメータ１２３として受信機１２０で、メモリ内のテーブルまたはアレイに記憶することができる。特定の実施形態では、パケット１３０がＳＵフレームフォーマットで表されるか、またはＭＵフレームフォーマットで表されるかに基づいて、異なるトーンスケーリングパラメータを使用することができる。トーンスケーリングパラメータの例は、図１６を参照してさらに記載される。
【００２８】
[0038]動作中、送信機１１０は、選択されたＭＣＳインデックスおよびそれに関連付けられた符号化特性、選択されたフレームフォーマット、選択されたタイミングパラメータ、および／または選択されたトーンスケーリングパラメータに基づいて、パケット１３０を作成および符号化することができる。基礎をなすサブ１ＧＨｚワイヤレスネットワーク１４０で使用中の帯域幅および空間ストリームの数はまた、パケット１３０の作成および符号化に影響を及ぼす場合がある。たとえば、帯域幅および空間ストリームの数は、何のＭＣＳインデックスが利用可能であるか、何のフレームフォーマットが利用可能であるか、ならびに、いくつかのタイミングパラメータおよびトーンスケーリングパラメータの値または値の許容範囲に影響を及ぼす場合がある。パケット１３０を受信すると、受信機１２０は、パケット１３０を処理（たとえば、復号）する際に、ＭＣＳインデックス、フレームフォーマット、タイミングパラメータ、および／または選択されたトーンスケーリングパラメータを使用することができる。
【００２９】
[0039]図１のシステム１００は、こうして、ＭＣＳインデックス、フレームフォーマット、タイミングパラメータ、トーンスケーリングパラメータ、およびサブ１ＧＨｚワイヤレスネットワーク（たとえば、ＩＥＥＥ８０２．１１ａｈワイヤレスネットワーク）で使用する他のメッセージ特性の標準化された値を提供することができ、そのような値は、ワイヤレスネットワークの特性（たとえば、帯域幅および空間ストリームの数）に基づいて変化する。そのようなＰＨＹ（たとえば、レイヤ１）および媒体アクセス制御（ＭＡＣ）（たとえば、レイヤ２）のメッセージング特性を標準化すると、サブ１ＧＨｚワイヤレスネットワークを介した信頼できる通信が可能になり得る。
【００３０】
[0040]図２Ａ〜図２Ｃは、図１のＭＣＳテーブル１１１およびＭＣＳテーブル１２１の例を示す。詳細には、図２Ａ〜図２Ｃは、１ＭＨｚの帯域幅で動作しながら１つの空間ストリームを使用するサブ１ＧＨｚワイヤレスネットワークのためのＭＣＳテーブルを示す。
【００３１】
[0041]ＭＣＳテーブルは、複数のＭＣＳインデックスの各々についてのメッセージ特性を含む場合がある。たとえば、ＭＣＳテーブルは、ＭＣＳインデックス（「MCS Idx」）ごとの変調スキーム（「Ｍｏｄ」）、コーディングレート（「Ｒ」）、サブキャリアシンボル当たりのビット数（「N_bpscs」）、データシンボルの数（「N_sd」）、および／またはパイロットシンボルの数（「N_sp」）を示すことができる。ＭＣＳテーブルはまた、ＯＦＤＭシンボル当たりのコード化されたビットの数（「N_cbps」）、ＯＦＤＭシンボル当たりのデータビットの数（「N_dbps」）、使用される符号化器の数（「N_es」）、データレート、および／またはガードインターバル（「GI」）を示すことができる。データレートは、８マイクロ秒のガードインターバルが使用されるか、または４マイクロ秒のガードインターバルが使用されるかに応じて変化する可能性がある。
【００３２】
[0042]いくつかの実施形態では、他の特性から導出可能な特性は、ＭＣＳテーブルから省略される場合がある。たとえば、ＯＦＤＭシンボル当たりのコード化されたビットの数は、数式N_Cbps = N_sd * N_bpscsに従って導出可能であり得る。ＯＦＤＭシンボル当たりのデータビットの数は、数式N_dbps = N_cbps * Rに従って導出可能であり得る。特定の実施形態では、符号化器の数は、数式N_es = ceiling(Data Rate/60 Mbpsに基づいて決定することができ、ここで、ceiling()はシーリング関数である。いくつかの状況では、N_esのための数式は、本明細書でさらに記載されるように修正することができる。
【００３３】
[0043]特定の実施形態では、所与の帯域幅および空間ストリームの数についてのＭＣＳインデックスは、N_cbps/N_esが非整数である場合、N_dbps/N_esが非整数である場合、またはN_dbpsが非整数である場合、利用できない可能性がある。そのようなＭＣＳインデックスは、実装を簡単にするために（たとえば、パンクチャパターンがＯＦＤＭシンボル間で均一であるように、かつパンクチャリング／レート照合の後余分なパディングシンボルが必要とされないように）、利用できないようにされる場合がある。特定の実施形態では、そうでない場合利用できないはずのいくつかのＭＣＳインデックスの使用を可能にするために、符号化器の数N_esは、本明細書でさらに記載されるように、N_cbps/N_esおよび／またはN_dbps/N_esが整数になるように修正することができる。
【００３４】
[0044]上述されたように、サブ１ＧＨｚネットワークを介して通信される各パケットは、ＭＣＳインデックスを含む場合がある。ＭＣＳインデックスは、パケットの様々な特性を判断するために使用することができる。一般に、ＭＣＳが選択されたとき、ＭＣＳは１度発信パケットに適用することができる。しかしながら、１ＭＨｚの帯域幅および１つの空間ストリームが使用されるときの特定の実施形態では、利用可能なＭＣＳインデックスのうちの１つは、Mod = BPSK（２位相偏移変調）およびR = 1/4に対応するＭＣＳが２度適用されるシナリオに対応する場合がある。図２に示されたように、１ＭＨｚおよび１つの空間ストリームに対応するＭＣＳテーブルのための少なくとも３つの異なるオプションが存在する場合がある。（図２Ａで「オプション１」と示された）第１のオプションによれば、繰返しＭＣＳシナリオは０のＭＣＳインデックスを有する場合がある。（図２Ｂで「オプション２」と示された）第２のオプションによれば、繰返しＭＣＳシナリオは１０のＭＣＳインデックスを有する場合がある。（図２Ｃで「オプション３」と示された）第３のオプションによれば、繰返しＭＣＳシナリオは１５（すなわち、４ビットのＭＣＳインデックスが２の補数で解釈されたときは−１）のＭＣＳインデックスを有する場合がある。
【００３５】
[0045]図３Ａ〜図３Ｃは、図１のＭＣＳテーブル１１１およびＭＣＳテーブル１２１のさらなる例を示す。詳細には、図３Ａ〜図３Ｃは、１ＭＨｚの帯域幅で動作しながら２つ、３つ、または４つの空間ストリームを使用するサブ１ＧＨｚワイヤレスネットワークのためのＭＣＳテーブルを示す。
【００３６】
[0046]図４Ａ〜図４Ｄは、図１のＭＣＳテーブル１１１およびＭＣＳテーブル１２１のさらなる例を示す。詳細には、図４Ａ〜図４Ｄは、２ＭＨｚの帯域幅で動作しながら１つ、２つ、３つ、または４つの空間ストリームを使用するサブ１ＧＨｚワイヤレスネットワークのためのＭＣＳテーブルを示す。網掛けにより図４Ａ、図４Ｂ、および図４Ｄに示されたように、ＭＣＳインデックス９は、１つ、２つ、または４つの空間ストリームを使用して２ＭＨｚで動作するとき、N_dbpsが非整数であり得るので、利用できない可能性がある。利用できないＭＣＳインデックスは、（たとえば、利用可能ビットを使用して）フラグ付けされるか、またはＭＣＳテーブルから削除されることによって、利用できないと示すことができる。
【００３７】
[0047]図５Ａ〜図５Ｄは、図１のＭＣＳテーブル１１１およびＭＣＳテーブル１２１のさらなる例を示す。詳細には、図５Ａ〜図５Ｄは、４ＭＨｚの帯域幅で動作しながら１つ、２つ、３つ、または４つの空間ストリームを使用するサブ１ＧＨｚワイヤレスネットワークのためのＭＣＳテーブルを示す。
【００３８】
[0048]図６Ａ〜図６Ｄは、図１のＭＣＳテーブル１１１およびＭＣＳテーブル１２１のさらなる例を示す。詳細には、図６Ａ〜図６Ｄは、８ＭＨｚの帯域幅で動作しながら１つ、２つ、３つ、または４つの空間ストリームを使用するサブ１ＧＨｚワイヤレスネットワークのためのＭＣＳテーブルを示す。網掛けにより図６Ｃに示されたように、ＭＣＳインデックス６は、３つの空間ストリームを使用して８ＭＨｚで動作するとき、N_dbps/N_esが非整数であり得るので、利用できない可能性がある。
【００３９】
[0049]図７Ａ〜図７Ｄは、図１のＭＣＳテーブル１１１およびＭＣＳテーブル１２１のさらなる例を示す。詳細には、図７Ａ〜図７Ｄは、１６ＭＨｚの帯域幅で動作しながら１つ、２つ、または３つの空間ストリームを使用するサブ１ＧＨｚワイヤレスネットワークのためのＭＣＳテーブルを示す。
【００４０】
[0050]１６ＭＨｚおよび３つの空間ストリームに対応するＭＣＳテーブルについて２つのオプションが示される。図７Ｃの第１のオプションでは、ＭＣＳインデックス９は、N_dbps/N_esが非整数なので利用できない。しかしながら、図７Ｄの第２のオプションに示されたように、N_esは、ＭＣＳインデックス９について５から６に増やすことができ、それにより、N_dbps/N_esは整数量に変わり、ＭＣＳインデックス９は利用可能になる。このように、符号化器の数は、いくつかのＭＣＳインデックスを利用可能にするために修正することができる。そうでない場合６つの符号化器を使用しないはずのデバイスでは、この修正により、符号化器の追加がもたらされる可能性がある。しかしながら、他の帯域幅／空間ストリームの組合せについて６つの符号化器を使用するデバイス（たとえば、図８に示されたような１６ＭＨｚで４つの空間ストリームをサポートするデバイス）では、この修正はさらなるハードウェアを追加せずに実行することができる。
【００４１】
[0051]図８Ａ〜図８Ｂは、図１のＭＣＳテーブル１１１およびＭＣＳテーブル１２１のさらなる例を示す。詳細には、図８Ａ〜図８Ｂは、１６ＭＨｚの帯域幅で動作しながら４つの空間ストリームを使用するサブ１ＧＨｚワイヤレスネットワークのためのＭＣＳテーブルを示す。
【００４２】
[0052]１６ＭＨｚ、４つの空間ストリームに対応するＭＣＳテーブルについて２つのオプションが示される。図８Ａの第１のオプションでは、ＭＣＳインデックス７は、N_cbps/N_esが非整数なので利用できない。しかしながら、図８Ｂの第２のオプションに示されたように、N_esは、ＭＣＳインデックス７について５から６に増やすことができ、それにより、N_cbps/N_esは整数量に変わり、ＭＣＳインデックス７は利用可能になる。
【００４３】
[0053]いくつかの実施形態では、すべての帯域幅／空間ストリームの組合せについて単一の符号化器を使用することができる。結果として、N_dbps/N_es = N_dbpsおよびN_cbps/N_es = N_cbpsであり、さらなるＭＣＳインデックスが利用可能になることができる。単一の符号化器が使用されたとき、１つ〜４つの空間ストリームを有する１ＭＨｚ、１つ〜４つの空間ストリームを有する２ＭＨｚ、１つ〜３つの空間ストリームを有する４ＭＨｚ、および１つの空間ストリームを有する８ＭＨｚのためのＭＣＳテーブルは、それらのテーブル内の各行がN_es = 1を有するので、上述されたものと同じであり得る。反対に、N_es > 1を有する少なくとも１つの行を含むＭＣＳテーブルは、図９〜図１０に示されたように修正することができる。
【００４４】
[0054]図９Ａ〜図９Ｄは、すべての帯域幅／空間ストリームの組合せについて単一の符号化器が使用されるときの、図１のＭＣＳテーブル１１１およびＭＣＳテーブル１２１の例を示す。詳細には、図９Ａ〜図９Ｄは、単一の符号化器を用いて、４ＭＨｚの帯域幅で動作しながら４つの空間ストリームを使用する、および、８ＭＨｚの帯域幅で動作しながら２つ、３つ、または４つの空間ストリームを使用するサブ１ＧＨｚワイヤレスネットワークのためのＭＣＳテーブルを示す。特に、８ＭＨｚおよび３つの空間ストリームのためのＭＣＳインデックス６は、図６Ｃでは利用できないと示されたが、N_es = 1なので図９Ｃでは利用可能である。
【００４５】
[0055]図１０Ａ〜図１０Ｄは、すべての帯域幅／空間ストリームの組合せについて単一の符号化器が使用されるときの、図１のＭＣＳテーブル１１１およびＭＣＳテーブル１２１のさらなる例を示す。詳細には、図１０Ａ〜図１０Ｄは、単一の符号化器を用いて、１６ＭＨｚの帯域幅で動作しながら１つ、２つ、３つ、または４つの空間ストリームを使用するサブ１ＧＨｚワイヤレスネットワークのためのＭＣＳテーブルを示す。特に、１６ＭＨｚおよび３つの空間ストリームのためのＭＣＳインデックス９は、Ｎ＿ｅｓが５から６に増やされない限り図７Ｃでは利用できないと示されたが、N_es = 1なので図１０Ｃでは利用可能である。
【００４６】
[0056]図１１は、サブ１ＧＨｚワイヤレスネットワーク内のＭＣＳインデックスに基づいてメッセージ特性を判断する方法１１００の特定の実施形態のフローチャートである。例示的な実施形態では、方法１１００は、図１の受信機１２０によって実行することができる。
【００４７】
[0057]方法１１００は、１１０２で、特定の帯域幅で動作しながら特定の数の空間ストリームを使用するサブ１ＧＨｚワイヤレスネットワークを介して、送信機から受信機でパケットを受信することを含む場合がある。ワイヤレスネットワークは、ＩＥＥＥ８０２．１１ａｈネットワークであり得る。たとえば、図１では、受信機１２０は、ワイヤレスネットワーク１４０を介して送信機１１０からパケット１３０を受信することができる。
【００４８】
[0058]方法１１００はまた、１１０４で、受信されたパケットからＭＣＳインデックスを抽出することと、１１０６で、受信機に記憶されたデータ構造を識別することとを含む場合がある。データ構造は、特定の帯域幅および特定の数の空間ストリームに対応することができる。特定の実施形態では、ＭＣＳインデックスは、パケットのＰＨＹプリアンブルのＳＩＧフィールドから抽出することができる。たとえば、図１では、抽出器／復号器１２４は、パケット１３０からＭＣＳインデックスを抽出することができ、帯域幅および空間ストリームの数に対応するＭＣＳテーブル１２１のうちの１つを識別することができる。たとえば、帯域幅が４ＭＨｚであり、１つの空間ストリームが使用中であるとき、識別されたＭＣＳテーブルは、図５の先頭にあるテーブルであり得る。
【００４９】
[0059]方法１１００はさらに、１１０８で、抽出されたＭＣＳインデックスに対応する特性値を求めて、識別されたデータ構造を検索することに基づいて、受信されたパケットの少なくとも１つの符号化特性を判断することを含む場合がある。符号化特性には、変調スキーム、コーディングレート、サブキャリアシンボル当たりのビット数、データシンボルの数、パイロットシンボルの数、ＯＦＤＭシンボル当たりのコード化されたビットの数、ＯＦＤＭシンボル当たりのデータビットの数、符号化器の数、データレート、および／またはガードインターバルが含まれ得る。たとえば、抽出されたＭＣＳインデックスが５であるとき、Ｍｏｄ＝６４−ＱＡＭ、Ｒ＝２／３、Ｎ＿ｂｐｓｃｓ＝６、Ｎ＿ｓｄ＝１０８、Ｎ＿ｓｐ＝６、Ｎ＿ｃｂｐｓ＝６４８、Ｎ＿ｄｂｐｓ＝４３２、Ｎ＿ｅｓ＝１、ならびに／または、データレート＝８マイクロ秒のＧＩを有する１０，８００Ｋｂｐｓおよび／もしくは４マイクロ秒のＧＩを有する１２，０００Ｋｂｐｓであると、図５の先頭にあるテーブルから判断することができる。
【００５０】
[0060]方法１１００は、少なくとも１つの符号化特性に基づいてパケットを復号することを含む場合がある。たとえば、図１では、抽出器／復号器１２４は、少なくとも１つの符号化特性に基づいてパケット１３０を復号することができる。たとえば、パケット１３０に適用される復調のタイプ（たとえば、バイナリ位相シフトキーイング（ＢＰＳＫ）、４相ＰＳＫ（ＱＰＳＫ）、４相振幅変調（ＱＡＭ）など）は、図５の先頭にあるＭＣＳテーブル内の「Ｍｏｄ」特性に基づいて判断することができる。
【００５１】
[0061]図１２は、ＭＣＳインデックスに基づいてサブ１ＧＨｚワイヤレスネットワークを介して通信されるメッセージのメッセージ特性を制御する方法１２００の特定の実施形態のフローチャートである。例示的な実施形態では、方法１２００は、図１の送信機１１０によって実行することができる。
【００５２】
[0062]方法１２００は、１２０２で、特定の帯域幅で動作しながら特定の数の空間ストリームを使用するサブ１ＧＨｚワイヤレスネットワークを介してパケットを通信する際の使用に利用可能な複数のＭＣＳからＭＣＳを送信機で選択することを含む場合がある。たとえば、図１では、送信機１１０は、使用中の帯域幅および空間ストリームの数に対応する、ＭＣＳテーブル１１１のうちの１つから利用可能なＭＣＳを選択することができる。
【００５３】
[0063]方法１２００はまた、１２０４で、選択されたＭＣＳに対応するＭＣＳインデックスに基づいて、少なくとも１つの符号化特性を判断することを含む場合がある。方法１２００はさらに、１２０６で、パケットにＭＣＳインデックスを挿入することと、１２０８で、少なくとも１つの符号化特性に基づいてパケットを符号化することとを含む場合がある。たとえば、図１では、作成器／符号化器１１４は、パケット１３０にＭＣＳインデックスを挿入し、パケット１３０を符号化することができる。方法１２００は、１２１０で、受信機に符号化されたパケットを送ることを含む場合がある。たとえば、図１では、送信機１１０は、受信機１２０にパケット１３０を送ることができる。
【００５４】
[0064]図１３は、図１のパケット１３０を表すために使用できるフレームフォーマットの特定の実施形態を示す図であり、全体的に１３００と示される。特定の実施形態では、サブ１ＧＨｚネットワークを介して送信されるパケットは、シングルユーザ（ＳＵ）フレームフォーマット１３１０またはマルチユーザ（ＭＵ）フレームフォーマット１３２０などの複数のフレームフォーマットのうちの１つに準拠することができる。各フレームフォーマット１３１０、１３２０は、パケットに含まれるべきフィールドおよびそのようなフィールドの順序を指定することができる。
【００５５】
[0065]ＳＵフレームフォーマット１３１０は、ショートトレーニングフィールド（ＳＴＦ）１３１１、ロングトレーニングフィールド（ＬＴＦ）１３１２（ＬＴＦ＿１）、およびＳＩＧフィールド１３１３を含む場合がある。複数の空間ストリームが使用中であるとき、ＳＵフレームフォーマット１３１０はまた、追加ＬＴＦ１３１４（たとえば、追加空間ストリームごとに１つの追加ＬＴＦ）を含む場合がある。ＳＴＦ１３１１、ＬＴＦ１３１２、ＳＩＧフィールド１３１３、および追加ＬＴＦ１３１４は、パケットプリアンブルを表すことができる。ＳＵフレームフォーマット１３１０はまた、データ部分１３１５を含む場合がある。
【００５６】
[0066]ＭＵフレームフォーマット１３２０は、２つの部分、すなわち、（オムニ部分１３３０と呼ばれる）プリコーディングなしの第１の部分と、（ＭＵ部分１３４０と呼ばれる）プリコーディングありの第２の部分とを含む場合がある。オムニ部分１３３０は、ＳＴＦ１３２１と、第１のＬＴＦ１３２２（ＬＴＦ＿１）と、信号Ａ（ＳＩＧ−Ａ）フィールド１３２３とを含む場合がある。ＭＵ部分１３４０は、追加ＳＴＦ１３２４、および２つ以上の空間ストリームが使用中であるとき、１つまたは複数の追加ＬＴＦ１３２５を含む場合がある。ＭＵ部分１３４０はまた、信号Ｂ（ＳＩＧ−Ｂ）フィールド１３２６と、データ部分１３２７とを含む場合がある。特定の実施形態では、ＳＩＧ−Ｂフィールド１３２６は、ユーザごとの単位で存在する場合がある。ＳＴＦフィールドおよびＬＴＦ＿１フィールドは、プリコーディングされていないオムニ部分１３３０とプリコーディングされているＭＵ部分１３４０の両方に存在して、受信と部分１３３０および部分１３４０の処理との間の明白なチャネル状態変化の後に受信機を支援することができる。
【００５７】
[0067]特定の実施形態では、送信機によって選択されたフレームフォーマットは、使用中のワイヤレスネットワークの帯域幅に依存する場合がある。たとえば、帯域幅が１ＭＨｚであるときはＳＵフレームフォーマット１３１０のみが利用可能であり得るが、帯域幅が１ＭＨｚよりも大きい（たとえば、２ＭＨｚ、４ＭＨｚ、８ＭＨｚ、または１６ＭＨｚである）ときはＳＵフレームフォーマット１３１０とＭＵフレームフォーマット１３２０の両方が利用可能であり得る。
【００５８】
[0068]特定の実施形態では、ＳＵフレームフォーマット１３１０およびＭＵフレームフォーマット１３２０に関連付けられたタイミングパラメータは、送信機および／または受信機に記憶されるか、または場合によってはアクセス可能であり得る。図１４は、ＳＵフレームフォーマット１３１０およびＭＵフレームフォーマット１３２０のためのタイミングパラメータ１４００の具体的な例を示す。例示的な実施形態では、タイミングパラメータ１４００は、図１のタイミングパラメータ１１２および／またはタイミングパラメータ１２２であり得る。
【００５９】
[0069]特定の実施形態では、パケット（たとえば、図１のパケット１３０）のタイミングパラメータ１４００のうちの１つまたは複数は、帯域幅（たとえば、１ＭＨｚ、２ＭＨｚ、４ＭＨｚ、８ＭＨｚ、または１６ＭＨｚ）および／または空間ストリームの数（１つ、２つ、３つ、または４つ）に応じて変化する場合がある。タイミングパラメータ１４００には、複合データサブキャリアの数N_sd、パイロットサブキャリアの数N_sp、（ガードを除く）合計サブキャリアの数N_st、最も高いサブキャリアインデックスN_sr、サブキャリア周波数間隔delta_f、逆離散フーリエ変換（ＩＤＦＴ）およびＤＦＴ期間T_dft、ガードインターバル継続時間T_gi、ダブルガードインターバル継続時間T_gi2、ショートガードインターバル継続時間T_gis、ロング間隔を有するＯＦＤＭシンボル継続時間T_syml、ショートガードインターバルを有するＯＦＤＭシンボル継続時間T_syms、ＳＥＲＶＩＣＥフィールドのビット数N_service、ならびに／またはバイナリ畳み込みコード（ＢＣＣ）符号化器当たりのテールビットの数N_tailが含まれ得る。
【００６０】
[0070]タイミングパラメータ１４００には、ＳＵフレームフォーマットおよびＭＵフレームフォーマットのためのＳＴＦ継続時間T_stf、ＳＵフォーマットおよびＭＵフォーマットのためのLTF_1継続時間T_ltf1、ＳＩＧフィールドおよびＳＩＧ−Ａフィールドの継続時間T_sig、追加ＬＴＦのための第２のＬＴＦ継続時間T_mimo_ltf、ＭＵフレームフォーマットのための第２のＳＴＦ継続時間T_mu_stf、ならびに／またはＳＩＧ−Ｂフィールドの継続時間T_sig_bが含まれ得る。いくつかのタイミングパラメータ１４００は、使用中の帯域幅に応じて様々な値を有する場合がある。たとえば、ＳＴＦ継続時間T_stf、ＬＴＦ１継続時間T_ltf1、ＳＩＧ／ＳＩＧ−Ａフィールドの継続時間T_sigは、各々、帯域幅が１ＭＨｚよりも大きいときより、帯域幅が１ＭＨｚであるときの方が長い場合がある。特定の実施形態では、タイミングパラメータのうちの１つまたは複数は、図１４に示されたように相互に関係する場合がある。したがって、他のタイミングパラメータから導出可能なタイミングパラメータは、タイミングパラメータ１４００を記憶するテーブルから省略することができる。
【００６１】
[0071]図１５は、サブ１ＧＨｚワイヤレスネットワーク内のフレームフォーマットおよびタイミングパラメータを制御する方法１５００の特定の実施形態のフローチャートである。例示的な実施形態では、方法１５００は、図１の送信機１１０によって実行することができる。
【００６２】
[0072]方法１５００は、１５０２で、パケットが受信機に送られるべきと送信機で決定することと、１５０４で、ワイヤレスネットワークの帯域幅を判定することとを含む場合がある。たとえば、図１では、送信機１１０は、パケット１３０が受信機１２０に送られるべきと決定することができ、（たとえば、アクセスポイントまたはメッセージングデータの調査からの情報に基づいて）サブ１ＧＨｚワイヤレスネットワーク１４０の帯域幅を判定することができる。
【００６３】
[0073]帯域幅が１ＭＨｚであるとき、方法１５００は、１５０６で、パケットを通信する際に使用するＳＵフレームフォーマットを選択することを含む場合がある。たとえば、ＳＵフレームフォーマットは、図１３のＳＵフレームフォーマット１３１０であり得る。帯域幅が１ＭＨｚよりも大きいとき、方法１５００は、１５０８で、ＳＵフレームフォーマットまたはＭＵフレームフォーマットを選択することを含む場合がある。たとえば、ＭＵフレームフォーマットは、図１３のＭＵフレームフォーマット１３２０であり得る。
【００６４】
[0074]方法１５００はまた、１５１０で、選択されたフレームフォーマットに従って、かつ選択されたフレームフォーマットに関連付けられた１つまたは複数のタイミングパラメータに基づいて、パケットを生成することを含む場合がある。たとえば、タイミングパラメータは、図１４のタイミングパラメータ１４００のうちの１つまたは複数であり得る。方法１５００はさらに、１５１２で、送信機から受信機にパケットを送ることを含む場合がある。たとえば、図１では、送信機１１０は、受信機１２０にパケット１３０を送ることができる。
【００６５】
[0075]図１６は、トーンスケーリングパラメータ１６００の具体的な例を示す。例示的な実施形態では、トーンスケーリングパラメータ１６００は、図１のトーンスケーリングパラメータ１１３および／またはトーンスケーリングパラメータ１２３であり得る。
【００６６】
[0076]パケット（たとえば、図１のパケット１３０）が生成されたとき、パケットの１つまたは複数のフィールドは、１つまたは複数のトーンスケーリングパラメータによってスケーリングすることができる。同じパケットの様々なフィールドに様々なトーンスケーリングパラメータを適用することができる。特定の実施形態では、トーンスケーリングパラメータは、使用中のフレームフォーマット（パケットが図１３のＳＵフレームフォーマット１３１０内にあるか、または図１３のＭＵフレームフォーマット１３２０内にあるか）、帯域幅、および／または空間ストリームの数の関数であり得る。
【００６７】
[0077]たとえば、トーンスケーリングパラメータ１６００は、ＳＴＦのトーンスケーリングパラメータと、ＬＴＦ＿１のトーンスケーリングパラメータと、ＳＩＧフィールドのトーンスケーリングパラメータと、データ部分のトーンスケーリングパラメータとを含む、１ＭＨｚ、２ＭＨｚ、４ＭＨｚ、８ＭＨｚ、および１６ＭＨｚの帯域幅でのＳＵフレームフォーマットのためのパラメータを含む場合がある。多入力多出力ＬＴＦ（ＭＩＭＯ−ＬＴＦ）のトーンスケーリングパラメータはまた、２つ以上の空間ストリームが使用中であるとき適用することができる。１ＭＨｚの帯域幅で、ＳＩＧフィールドおよびデータ部分は、同じ数の利用可能なトーン、したがって同じトーンスケーリングパラメータを有することができる。より高い帯域幅で、ＳＩＧフィールドは、より低い帯域幅のＳＩＧフィールドを繰り返すことによって生成することができる。したがって、ＳＩＧフィールドのトーンスケーリングパラメータは、図１６に示されたように、帯域幅が（たとえば、１ＭＨｚから２ＭＨｚ、４ＭＨｚ、８ＭＨｚおよび１６ＭＨｚに）倍増するにつれて、（たとえば、２６から５２、１０４、２０８、および４１６に）倍増する場合がある。しかしながら、データ部分のトーンスケーリングパラメータは、倍増しない場合がある。したがって、ＳＩＧフィールドのトーンスケーリングパラメータとデータ部分のトーンスケーリングパラメータは、いくつかの帯域幅について異なる場合がある。
【００６８】
[0078]図１３を参照して上記で説明されたように、ＭＵフレームフォーマットは１ＭＨｚの帯域幅で利用可能ではない場合がある。図１６では、１ＭＨｚでのＭＵフレームフォーマットのためのトーンスケーリングパラメータ１６００は、この利用不可を示すために網掛けされる。１ＭＨｚよりも大きい帯域幅でのＭＵフレームフォーマットの場合、トーンスケーリングパラメータ１６００は、ＳＴＦのトーンスケーリングパラメータと、ＬＴＦ＿１のトーンスケーリングパラメータと、ＳＩＧ−Ａフィールドのトーンスケーリングパラメータと、ＳＩＧ−Ｂフィールドのトーンスケーリングパラメータと、データ部分のトーンスケーリングパラメータと、ＭＵ−ＳＴＦのトーンスケーリングパラメータとを含む場合がある。ＭＩＭＯ−ＬＴＦのトーンスケーリングパラメータはまた、２つ以上の空間ストリームが使用中であるとき適用することができる。ＳＩＧ−Ａフィールドのトーンスケーリングパラメータは、帯域幅が倍増するにつれて倍増する場合があるが、ＳＩＧ−Ｂフィールドのトーンスケーリングパラメータおよびデータ部分のトーンスケーリングパラメータは、倍増しない場合がある。したがって、ＳＩＧ−Ａフィールドのトーンスケーリングパラメータは、いくつかの帯域幅についてデータ部分のトーンスケーリングパラメータとは異なる場合がある。ＳＩＧ−Ｂトーンスケーリングパラメータは、図１６に示されたように、帯域幅ごとにデータ部分のトーンスケーリングパラメータと同じ場合がある。
【００６９】
[0079]図１７は、サブ１ＧＨｚワイヤレスネットワーク内のトーンスケーリングパラメータを制御する方法１７００の特定の実施形態のフローチャートである。例示的な実施形態では、方法１７００は、図１の送信機１１０によって実行することができる。
【００７０】
[0080]方法１７００は、１７０２で、特定の帯域幅で動作するサブ１ＧＨｚワイヤレスネットワークを介してパケットを通信する際に使用する１つまたは複数のトーンスケーリングパラメータを送信機で選択することを含む場合がある。１つまたは複数のトーンスケーリングパラメータは、パケットのフレームフォーマットおよび特定の帯域幅に少なくとも部分的に基づいて、選択することができる。たとえば、図１では、送信機１１０は、１つまたは複数のトーンスケーリングパラメータ１１３を選択することができる。例示的な実施形態では、トーンスケーリングパラメータは、図１６のトーンスケーリングパラメータ１６００のうちの１つまたは複数であり得る。
【００７１】
[0081]方法１７００はまた、１７０４で、１つまたは複数のトーンスケーリングパラメータに従ってパケットの１つまたは複数のフィールドをスケーリングすることを含んでパケットを生成することを含む場合がある。たとえば、パケットがＳＵフレームフォーマットのパケットであり、帯域幅が１ＭＨｚ以上であるとき、ＳＴＦ、ＬＴＦ＿１、ＳＩＧ、ＭＩＭＯ−ＬＴＦ、および／またはデータなどのフィールドは、トーンスケーリングパラメータによってスケーリングすることができる。別の例として、パケットがＭＵフレームフォーマットのパケットであり、帯域幅が１ＭＨｚよりも大きいとき、ＳＴＦ、ＬＴＦ＿１、ＳＩＧ−Ａ、ＭＵ−ＳＴＦ、ＭＩＭＯ−ＬＴＦ、ＳＩＧ−Ｂ、および／またはデータなどのフィールドをスケーリングすることができる。
【００７２】
[0082]方法１７００はさらに、１７０６で、送信機から受信機にパケットを送ることを含む場合がある。たとえば、図１では、送信機１１０は、受信機１２０にパケット１３０を送ることができる。
【００７３】
[0083]様々なデータ構造が示され、テーブルとして記載されたが、他のタイプのデータ構造を、記載された技法と連携して使用できることに留意されたい。さらに、いくつかのデータ構造は結合することができ、他のデータ構造は分割することができる。たとえば、帯域幅／空間ストリームの組合せごとに異なるＭＣＳテーブルを使用する代わりに、特定の実施形態は、帯域幅と、空間ストリームの数と、ＭＣＳインデックスによってインデックス付けされた単一のＭＣＳテーブルとを利用することができる。別の例として、単一のタイミングパラメータテーブルまたはトーンスケーリングパラメータテーブルを使用する代わりに、複数のテーブル（たとえば、帯域幅、フレームフォーマット、または帯域幅／フレームフォーマットの組合せごとに異なるテーブル）を使用することができる。したがって、図示されたデータ構造よりも多い、少ない、および／または異なるタイプのデータ構造を、記載された技法と連携して使用することができる。
【００７４】
[0084]図１８は、モバイル通信デバイス１８００のブロック図である。特定の実施形態では、モバイル通信デバイス１８００またはその構成要素は、図１の送信機１１０、図１の受信機１２０、送受信機、またはそれらの任意の組合せを含むか、またはそれらに含まれる。さらに、図１１、図１２、図１５、および／または図１７に記載された方法の全部または一部は、モバイル通信デバイス１８００もしくはその構成要素で、またはそれらによって実行することができる。モバイル通信デバイス１８００は、メモリ１８３２に結合された、デジタル信号プロセッサ（ＤＳＰ）などのプロセッサ１８１０を含む。
【００７５】
[0085]メモリ１８３２は、命令１８６０を記憶する非一時的有形コンピュータ可読記憶デバイスおよび／または非一時的有形プロセッサ可読記憶デバイスであり得る。命令１８６０は、図１１、図１２、図１５、および／または図１７を参照して記載された方法などの、本明細書に記載された１つまたは複数の機能または方法を実行するように、プロセッサ１８１０によって実行可能であり得る。メモリ１８３２はまた、ＭＣＳテーブル１８６１と、タイミングパラメータ１８６２と、トーンスケーリングパラメータ１８６３とを記憶することができる。ＭＣＳテーブル１８６１は、図１のＭＣＳテーブル１１１、図１のＭＣＳテーブル１２１、図２〜図１０に示されたＭＣＳテーブル、またはそれらの任意の組合せを含む場合がある。タイミングパラメータ１８６２は、図１のタイミングパラメータ１１２、図１のタイミングパラメータ１２２、図１４のタイミングパラメータ１４００、またはそれらの任意の組合せを含む場合がある。トーンスケーリングパラメータ１８６３は、図１のトーンスケーリングパラメータ１１３、図１のトーンスケーリングパラメータ１２３、図１６のトーンスケーリングパラメータ１６００、またはそれらの任意の組合せを含む場合がある。
【００７６】
[0086]プロセッサ１８１０はまた、本明細書に記載されたデバイス構成要素に関係する命令を含むか、実装するか、または実行することができる。たとえば、プロセッサ１８１０は、符号化器１８９１（たとえば、図１のパケット作成器／符号化器１１４）および／または復号器１８９２（たとえば、図１のパケット抽出器／復号器１２４）を含むか、または実装することができる。
【００７７】
[0087]図１８はまた、プロセッサ１８１０およびディスプレイ１８２８に結合されたディスプレイコントローラ１８２６を示す。コーダ／復号器（コーデック）１８３４も、プロセッサ１８１０に結合することができる。スピーカ１８３６およびマイクロフォン１８３８は、コーデック１８３４に結合することができる。図１８はまた、ワイヤレスコントローラ１８４０がプロセッサ１８１０に結合することができ、ワイヤレスコントローラ１８４０が送受信機１８５０を介してアンテナ１８４２と通信していることを示す。ワイヤレスコントローラ１８４０、送受信機１８５０、およびアンテナ１８４２は、こうして、モバイル通信デバイス１８００によりワイヤレス通信を可能にするワイヤレスインターフェースを表すことができる。たとえば、ワイヤレス通信は、図１のワイヤレスネットワーク１４０などのサブ１ＧＨｚワイヤレスネットワーク（たとえば、ＩＥＥＥ８０２．１１ａｈワイヤレスネットワーク）を介する場合がある。そのようなワイヤレスインターフェースは、図１のパケット１３０を送信または受信するために使用することができる。モバイル通信デバイス１８００は、多数のワイヤレスインターフェースを含む場合があり、様々なワイヤレスネットワークは、様々なネットワーキング技術またはネットワーキング技術の組合せをサポートするように構成される。
【００７８】
[0088]図１８はモバイル通信デバイスを示すが、サブ１ＧＨｚワイヤレスネットワーク（たとえば、ＩＥＥＥ８０２．１１ａｈワイヤレスネットワーク）を介して他のタイプのデバイスが通信できることに留意されたい。いくつかのデバイスは、図１８に示された構成要素よりも多い、少ない、および／または異なる構成要素を含む場合がある。たとえば、ＩＥＥＥ８０２．１１ａｈワイヤレスセンサは、ディスプレイ１８２８、スピーカ１８３６、またはマイクロフォン１８３８を含まない場合がある。
【００７９】
[0089]特定の実施形態では、プロセッサ１８１０、ディスプレイコントローラ１８２６、メモリ１８３２、コーデック１８３４、ワイヤレスコントローラ１８４０、および送受信機１８５０は、システムインパッケージデバイスまたはシステムオンチップデバイス１８２２に含まれる。特定の実施形態では、入力デバイス１８３０および電源１８４４は、システムオンチップデバイス１８２２に結合される。さらに、特定の実施形態では、図１８に示されたように、ディスプレイデバイス１８２８、入力デバイス１８３０、スピーカ１８３６、マイクロフォン１８３８、アンテナ１８４２、および電源１８４４は、システムオンチップデバイス１８２２の外部にある。しかしながら、ディスプレイデバイス１８２８、入力デバイス１８３０、スピーカ１８３６、マイクロフォン１８３８、アンテナ１８４２、および電源１８４４の各々は、インターフェースまたはコントローラなどの、システムオンチップデバイス１８２２の構成要素に結合することができる。
【００８０】
[0090]記載された実施形態と連携して、装置は、１つまたは複数のデータ構造を記憶するための手段を含む。１つまたは複数のデータ構造は、サブ１ギガヘルツワイヤレスネットワークの１つまたは複数の利用可能な帯域幅およびサブ１ギガヘルツワイヤレスネットワークの１つまたは複数の利用可能な空間ストリームに対応する。サブ１ギガヘルツワイヤレスネットワークの１つまたは複数の利用可能な帯域幅は、１メガヘルツ帯域幅を含む。各データ構造は、複数のＭＣＳインデックスの各々に対して、ＭＣＳインデックスを含むパケットの少なくとも１つの符号化特性を示す。たとえば、記憶するための手段は、図１の送信機１１０の構成要素（たとえば、メモリまたはデータ記憶デバイス）、図１の受信機１２０の構成要素（たとえば、メモリまたはデータ記憶デバイス）、図１８のメモリ１８３２、データを記憶するように構成された別のデバイス、またはそれらの任意の組合せを含む場合がある。装置はまた、パケットに含まれる特定のＭＣＳインデックスに基づいてパケットを処理するための手段を含む。たとえば、処理するための手段は、図１のパケット作成器／符号化器１１４、図１のパケット抽出器／復号器１２４、図１８のプロセッサ１８１０、図１８の符号化器１８９１、図１８の復号器、データを処理するように構成された別のデバイス、またはこれらの任意の組み合わせを含む場合がある。
【００８１】
[0091]本明細書で開示された実施形態に関して記載された様々な例示的な論理ブロック、構成、モジュール、回路、およびアルゴリズムステップは、電子ハードウェア、コンピュータソフトウェア、または両方の組合せとして実装され得ることを、当業者はさらに諒解されよう。様々な例示的な構成要素、ブロック、構成、モジュール、回路、およびステップが、概してそれらの機能に関して上述された。そのような機能がハードウェアとして実装されるか、またはソフトウェアとして実装されるかは、特定の適用例および全体的なシステムに課される設計制約に依存する。当業者は、記載された機能を特定の適用例ごとに様々な方法で実装できるが、そのような実装の決定は、本開示の範囲からの逸脱を生じるものと解釈されるべきではない。
【００８２】
[0092]本明細書で開示された実施形態に関して記載された方法またはアルゴリズムのステップは、直接ハードウェアで具現化されるか、プロセッサによって実行されるソフトウェアモジュールで具現化されるか、またはその２つの組合せで具現化され得る。ソフトウェアモジュールは、ランダムアクセスメモリ（ＲＡＭ）、フラッシュメモリ、読取り専用メモリ（ＲＯＭ）、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、レジスタ、ハードディスク、リム−バルディスク、コンパクトディスク読取り専用メモリ（ＣＤ−ＲＯＭ）、または当分野で知られている任意の他の形態の非一時的記憶媒体の中に常駐することができる。例示的な記憶媒体は、プロセッサが記憶媒体から情報を読み取り、記憶媒体に情報を書き込むことができるように、プロセッサに結合される。代替として、記憶媒体はプロセッサと一体であり得る。プロセッサおよび記憶媒体は、特定用途向け集積回路（ＡＳＩＣ）に存在する場合がある。ＡＳＩＣは、コンピューティングデバイスまたはユーザ端末（たとえば、モバイル電話もしくはＰＤＡ）に存在する場合がある。代替として、プロセッサおよび記憶媒体は、コンピューティングデバイスまたはユーザ端末内の個別構成要素として存在する場合がある。
【００８３】
[0093]開示された実施形態の上記の説明は、当業者が開示された実施形態を作成し使用することを可能にするために提供される。これらの実施形態に対する様々な修正形態は、当業者には容易に明らかであり、本明細書で定義された原理は、本開示の範囲から逸脱することなく他の実施形態に適用することができる。したがって、本開示は、本明細書で開示された実施形態に限定されるものではなく、以下の特許請求の範囲によって定義されるような原理および新規の特徴に一致する、可能な最大の範囲を与えられるべきである。
以下に、本願出願の当初の特許請求の範囲に記載された発明を付記する。
［Ｃ１］
サブ１ギガヘルツワイヤレスネットワークを介して通信する間使用するための１つまたは複数のデータ構造を記憶し、前記１つまたは複数のデータ構造は、前記サブ１ギガヘルツワイヤレスネットワークの１つまたは複数の利用可能な帯域幅および前記サブ１ギガヘルツワイヤレスネットワークの１つまたは複数の利用可能な空間ストリームに対応し、
前記サブ１ギガヘルツワイヤレスネットワークの前記１つまたは複数の利用可能な帯域幅は、１メガヘルツ帯域幅を含み、
各データ構造は、複数の変調およびコーディングスキーム（ＭＣＳ）インデックスの各々に対して、
前記ＭＣＳインデックスを含むパケットの変調スキームと、
前記パケットを符号化するコーディングレートと、
前記パケットにおけるサブキャリアシンボル当たりのビットの数と、
前記パケットにおけるデータシンボルの数と、
前記パケットにおけるパイロットシンボルの数と
を示す、非一時的プロセッサ可読媒体。
［Ｃ２］
各データ構造は、前記複数のＭＣＳインデックスの各々に対して、
前記パケットにおける直交周波数分割多重（ＯＦＤＭ）シンボル当たりのコード化されたビットの数と、
前記パケットにおけるＯＦＤＭシンボルあたりのデータビットの数と、
符号化器の数と、
前記パケットに関連付けられた少なくとも１つのデータレートと
をさらに示す、Ｃ１に記載の非一時的プロセッサ可読媒体。
［Ｃ３］
前記少なくとも１つのデータレートは、前記パケットにおける８マイクロ秒のガードインターバルの使用に関連する第１のデータレートと、前記パケットにおける４マイクロ秒のガードインターバルの使用に関連する第２のデータレートとを含む、Ｃ２に記載の非一時的プロセッサ可読媒体。
［Ｃ４］
前記データ構造の全ては、前記複数のＭＣＳインデックスの各々に対して、単一符号化器が前記パケットを符号化することを示す、Ｃ２に記載の非一時的プロセッサ可読媒体。
［Ｃ５］
前記１つまたは複数のデータ構造のうちの少なくとも１つは、特定のＭＣＳインデックスが利用できないことを示す、Ｃ２に記載の非一時的プロセッサ可読媒体。
［Ｃ６］
前記１つまたは複数のデータ構造は、前記１つまたは複数のデータ構造の内の少なくとも１つは、
前記サブ１ギガヘルツワイヤレスネットワークの動作帯域幅が２メガヘルツであり、１、２、または４つの空間ストリームが利用されるとき、９に等しいＭＣＳインデックスが利用できないこと、
前記動作帯域幅が８メガヘルツであり、３つの空間ストリームが利用されるとき、６に等しいＭＣＳインデックスが利用できないこと、
前記動作帯域幅が１６メガヘルツであり、３つの空間ストリームが利用されるとき、９に等しいＭＣＳインデックスが利用できないことを示す、Ｃ５に記載の非一時的プロセッサ可読媒体。
［Ｃ７］
前記特定のＭＣＳインデックスは、非整数であるＯＦＤＭシンボル当たりの前記データビットの数、ＯＦＤＭシンボル当たりの前記データビットの数の指数、非整数である前記符号化器の数、ＯＦＤＭシンボル当たりの前記コード化されたビットの数、および非整数である前記符号化器の数に基づいて利用できない、Ｃ５に記載の非一時的プロセッサ可読媒体。
［Ｃ８］
前記データ構造の少なくとも１つは、少なくとも１つの帯域幅および少なくとも１つの空間ストリームに対して、
前記ＭＣＳインデックスが０であるとき、前記変調スキームは、２位相偏移変調（ＢＰＳＫ）であり、前記コーディングレートが１／２であり、サブキャリアシンボル当たりの前記ビットの数が１であること、
前記ＭＣＳインデックスが１であるとき、前記変調スキームは、４位相偏移変調（ＱＰＳＫ）であり、前記コーディングレートは、１／２であり、サブキャリアシンボルあたりの前記ビットの数は、２であること、
前記ＭＣＳインデックスが２であるとき、前記変調スキームは、ＱＰＳＫであり、前記コーディングレートは、１／２であり、サブキャリアシンボル当たりの前記ビットの数は、２であること、
前記ＭＣＳインデックスが３であるとき、前記変調スキームは、１６値直交振幅変調（１６−ＱＡＭ）であり、前記コーディングレートは、１／２であり、サブキャリアシンボル当たりの前記ビットの数は、４であること、
前記ＭＣＳインデックスが４であるとき、前記変調スキームは、１６−ＱＡＭであり、前記コーディングレートは、３／４であり、サブキャリアシンボル当たりの前記ビットの数は、４であること、
前記ＭＣＳインデックスが５であるとき、前記変調スキームは、６４値ＱＡＭ（６４−ＱＡＭ）であり、前記コーディングレートは、２／３であり、サブキャリアシンボル当たりの前記ビットの数は、６であること、
前記ＭＣＳインデックスが６であるとき、前記変調スキームは、６４−ＱＡＭＣであり、前記コーディングレートは、３／４であり、サブキャリアシンボル当たりの前記ビットの数は、６であること、
前記ＭＣＳインデックスが７であるとき、前記変調スキームは、６４−ＱＡＭであり、前記コーディングレートは、５／６であり、サブキャリアシンボル当たりの前記ビットの数は、６であること、
前記ＭＣＳインデックスが８であるとき、前記変調スキームは、２５６値ＱＡＭであり、前記コーディングレートは、３／４であり、サブキャリアシンボル当たりの前記ビットの数は、８であること、
前記ＭＣＳインデックスが９であるとき、前記変調スキームは、２５６値ＱＡＭであり、前記コーディングレートは、５／６であり、サブキャリアシンボル当たりの前記ビットの数は、８であること、または
これらの任意の組み合わせを示す、Ｃ２に記載の非一時的プロセッサ可読媒体。
［Ｃ９］
前記データ構造のうちの少なくとも１つは、
前記サブ１ギガヘルツワイヤレスネットワークの動作帯域幅が１メガヘルツであるとき、
前記データシンボルの数は２４であり、
前記パイロットシンボルの数は、２であり、
前記符号化器の数は１であること、
前記動作帯域幅が２メガヘルツであるとき、
前記データシンボルの数は５２であり、
前記符号化器の数は４であり、
前記符号化器の数は１であること、
前記動作帯域幅が４メガヘルツであるとき、
前記データシンボルの数は１０８であり、
前記符号化器の数は６であり、
前記符号化器の数は１または２であること、
前記動作帯域幅が８メガヘルツであるとき、
前記データシンボルの数は２３４であり、
前記符号化器の数は８であり、
前記符号化器の数は１、２、または３であること、
前記動作帯域幅が１６メガヘルツであるとき、
前記データシンボルの数は４６８であり、
前記符号化器の数は１６であり、
前記符号化器の数は１、２、３、４、または６であることを示す、Ｃ２に記載の非一時的プロセッサ可読媒体。
［Ｃ１０］
前記データ構造のうちの少なくとも１つは、１メガヘルツの帯域幅に対して、１つの空間ストリームが使用されるとき、
前記ＭＣＳインデックスが１０であるとき、前記変調スキームは、２位相偏移変調（ＢＰＳＫ）であり、前記コーディングレートは、１／４であり、サブキャリアシンボル当たりの前記ビットの数は、１であり、ＯＦＤＭシンボル当たりの前記コード化されたビットの数は、２６であり、ＯＦＤＭシンボル当たりの前記データビットの数は、６であることを示す、Ｃ２に記載の非一時的プロセッサ可読媒体。
［Ｃ１１］
前記サブ１ギガヘルツワイヤレスネットワークは、電気電子技術者協会（ＩＥＥＥ）８０２．１１ａｈプロトコルに従って動作する、Ｃ１に記載の非一時的プロセッサ可読媒体。
［Ｃ１２］
プロセッサによって実行されたとき、前記プロセッサに、
第１の帯域幅で動作しながら第１の数の空間ストリームを使用する前記サブ１ギガヘルツワイヤレスネットワークを介して第１のパケットを受信することと、
前記第１のパケットから第１のＭＣＳインデックスを抽出することと、
前記第１の帯域幅および前記空間ストリームの第１の数に対応する前記１つまたは複数のデータ構造のうちの第１のデータ構造を識別することと、
前記第１のＭＣＳインデックスおよび前記第１のデータ構造に基づいて前記受信したパケットの少なくとも１つの符号化特性を決定することと、
前記少なくとも１つの符号化特性に基づいて前記第１のパケットを復号することと
を行わせる、命令をさらに備える、Ｃ１に記載の非一時的プロセッサ可読媒体。
［Ｃ１３］
前記第１のＭＣＳインデックスは、前記第１のパケットの物理レイヤ（ＰＨＹ）の信号（ＳＩＧ）フィールドから抽出される、Ｃ１２に記載の非一時的プロセッサ可読媒体。
［Ｃ１４］
送信機で、特定の帯域幅で動作しながら特定の数の空間ストリームを使用するサブ１ギガヘルツワイヤレスネットワークを介してパケットを通信することに利用するために利用可能な複数の変調およびコーディングスキーム（ＭＣＳ）からＭＣＳを選択することと、ここにおいて、前記サブ１ギガヘルツワイヤレスネットワークは、１メガヘルツの帯域幅での動作をサポートする、
前記選択されたＭＣＳに対応するＭＣＳインデックスに基づいて少なくとも１つの符号化特性を決定することと、
前記パケットに前記ＭＣＳインデックスを挿入することと、
前記少なくとも１つの符号化特性に基づいてパケットを符号化することと、
受信機に前記サブ１ギガヘルツワイヤレスネットワークを介して前記符号化されたパケットを送ることと
を備える、方法。
［Ｃ１５］
受信機で、特定の帯域幅で動作しながら特定の数の空間ストリームを使用するサブ１ギガヘルツワイヤレスネットワークを介して送られたパケットを受信することと、ここにおいて、前記サブ１ギガヘルツワイヤレスネットワークは、１メガヘルツの帯域幅での動作をサポートする、
前記受信されたパケットから変調およびコーディングスキーム（ＭＣＳ）インデックスを抽出することと、
前記受信機に記憶されたデータ構造を識別することと、ここにおいて前記データ構造は、前記特定の帯域幅および前記特定の数の空間ストリームに対応する、
前記受信されたパケットの少なくとも１つの符号化特性を、前記抽出されたＭＣＳインデックスおよび前記識別されたデータ構造に基づいて決定することと、
前記少なくとも１つの符号化特性に基づいて前記受信されたパケットを復号することと
を備える、方法。
［Ｃ１６］
１つまたは複数のデータ構造を記憶するメモリと、前記１つまたは複数のデータ構造は、サブ１ギガヘルツワイヤレスネットワークの１つまたは複数の利用可能な帯域幅および前記サブ１ギガヘルツワイヤレスネットワークの１つまたは複数の利用可能な空間ストリームに対応し、前記サブ１ギガヘルツワイヤレスネットワークの１つまたは複数の利用可能な帯域幅は、１メガヘルツの帯域幅を含み、各データ構造は、複数の変調およびコーディングスキーム（ＭＣＳ）インデックスの各々に対して、前記ＭＣＳインデックスを含むパケットの少なくとも１つの符号化特性を示す、
前記メモリに結合されるプロセッサと、前記プロセッサは、
第１の帯域幅で動作しながら第１の数の空間ストリームを使用する前記サブ１ギガヘルツワイヤレスネットワークを介して受信された第１のパケットから第１のＭＣＳインデックスを抽出することと、
前記受信されたパケットの少なくとも１つの符号化特性を、前記第１の帯域幅および前記第１の数の空間ストリームに対応する前記複数のデータ構造のうちの第１のデータ構造における前記第１のＭＣＳの検索に基づいて決定することと
を備える、装置。
［Ｃ１７］
１つまたは複数のデータ構造を記憶するための手段と、ここにおいて、前記１つまたは複数のデータ構造は、サブ１ギガヘルツワイヤレスネットワークの１つまたは複数の利用可能な帯域幅および前記サブ１ギガヘルツワイヤレスネットワークの１つまたは複数の利用可能な空間ストリームに対応し、前記サブ１ギガヘルツワイヤレスネットワークの前記１つまたは複数の利用可能な帯域幅は、１メガヘルツの帯域幅を含み、各データ構造は、複数の変調およびコーディングスキーム（ＭＣＳ）インデックスの各々に対して、前記ＭＣＳインデックスを含むパケットの少なくとも１つの符号化特性を示す、
前記パケットに含まれる特定のＭＣＳインデックスに基づいてパケットを処理するための手段と
を備える、装置。
［Ｃ１８］
前記処理するための手段は、前記ＭＣＳインデックスに基づいて前記パケットを符号化するように構成される符号化器を備える、Ｃ１７に記載の装置。
［Ｃ１９］
前記処理するための手段は、前記ＭＣＳインデックスに基づいて前記パケットを復号するように構成される復号器を備える、Ｃ１７に記載の装置。
［Ｃ２０］
前記サブ１ギガヘルツワイヤレスネットワークは、電気電子技術者協会（ＩＥＥＥ）８０２．１１ａｈプロトコルに従って動作する、Ｃ１７に記載の装置。
【図１】
0005932134.tif 000002
【図２Ａ】
0005932134.tif 000003
【図２Ｂ】
0005932134.tif 000004
【図２Ｃ】
0005932134.tif 000005
【図３Ａ】
0005932134.tif 000006
【図３Ｂ】
0005932134.tif 000007
【図３Ｃ】
0005932134.tif 000008
【図４Ａ】
0005932134.tif 000009
【図４Ｂ】
0005932134.tif 000010
【図４Ｃ】
0005932134.tif 000011
【図４Ｄ】
0005932134.tif 000012
【図５Ａ】
0005932134.tif 000013
【図５Ｂ】
0005932134.tif 000014
【図５Ｃ】
0005932134.tif 000015
【図５Ｄ】
0005932134.tif 000016
【図６Ａ】
0005932134.tif 000017
【図６Ｂ】
0005932134.tif 000018
【図６Ｃ】
0005932134.tif 000019
【図６Ｄ】
0005932134.tif 000020
【図７Ａ】
0005932134.tif 000021
【図７Ｂ】
0005932134.tif 000022
【図７Ｃ】
0005932134.tif 000023
【図７Ｄ】
0005932134.tif 000024
【図８Ａ】
0005932134.tif 000025
【図８Ｂ】
0005932134.tif 000026
【図９Ａ】
0005932134.tif 000027
【図９Ｂ】
0005932134.tif 000028
【図９Ｃ】
0005932134.tif 000029
【図９Ｄ】
0005932134.tif 000030
【図１０Ａ】
0005932134.tif 000031
【図１０Ｂ】
0005932134.tif 000032
【図１０Ｃ】
0005932134.tif 000033
【図１０Ｄ】
0005932134.tif 000034
【図１１】
0005932134.tif 000035
【図１２】
0005932134.tif 000036
【図１３】
0005932134.tif 000037
【図１４】
0005932134.tif 000038
【図１５】
0005932134.tif 000039
【図１６】
0005932134.tif 000040
【図１７】
0005932134.tif 000041
【図１８】
0005932134.tif 000042